(57)【要約】【課題】着用者の身体を効率的に冷やすことができる衣料を提供する。【解決手段】表地１１と、表地１１よりも着用者の肌側に配置されている裏地１２と、表地１１の縁部１１ａと裏地１２が互いに止着されている第１止着部と、表地１１に取り付けられており、外部の空気を表地１１と裏地１２の間に取り込む送風機１５と、を有する上衣２を備え、上衣２には、長手方向と幅方向を有し、長手方向がアームホール２Ａの少なくとも一部に沿って配置されている帯状布地１３であって、幅方向の一方側が表地に接続されており、幅方向の他方側が裏地に接続されている帯状布地１３が設けられており、帯状布地１３には、表地１１と裏地１２の間の空気を着用者側に排出する複数の第１排気口１６Ａが設けられている衣料。【選択図】図３
2020125574.tif 000002
【特許請求の範囲】
【請求項１】
表地と、
該表地よりも着用者の肌側に配置されている裏地と、
前記表地の縁部と前記裏地が互いに止着されている第１止着部と、
前記表地に取り付けられており、外部の空気を前記表地と前記裏地の間に取り込む送風機と、を有する上衣を備えた衣料であって、
前記上衣には、長手方向と幅方向を有し、該長手方向がアームホールの少なくとも一部に沿って配置されている帯状布地であって、前記幅方向の一方側が表地に接続されており、前記幅方向の他方側が裏地に接続されている帯状布地が設けられており、
該帯状布地には、前記表地と前記裏地の間の空気を着用者側に排出する複数の第１排気口が設けられていることを特徴とする衣料。
【請求項２】
前記帯状布地のうち前記表地と接続されている部分の長さは、前記裏地と接続されている部分の長さよりも長い請求項１に記載の衣料。
【請求項３】
身長方向において前記アームホールを上側領域と下側領域に二等分割したときに、
前記帯状布地は、前記下側領域にのみ配置されており、
前記下側領域に配置されている前記第１排気口から着用者の脇の下側に向かって空気が排出される請求項１または２に記載の衣料。
【請求項４】
身長方向において前記アームホールを上側領域と下側領域に二等分割したときに、
前記帯状布地は、前記上側領域のみに配置されており、
前記上側領域に配置されている第１排気口から袖口側に向かって空気が排出される請求項１または２に記載の衣料。
【請求項５】
前記帯状布地は、前記アームホールの全周にわたって環状に配置されており、
身長方向において前記アームホールを上側領域と下側領域に二等分割したときに、
前記上側領域に配置されている第１排気口から袖口側に向かって空気が排出され、
前記下側領域に配置されている前記第１排気口から着用者の脇の下側に向かって空気が排出される請求項１または２に記載の衣料。
【請求項６】
前記帯状布地は、前記帯状布地の肩頂部を中央に含む全長の四分の一の長さ部分Ａが、平面展開視において８０度以上１４０度以下湾曲している請求項５に記載の衣料。
【請求項７】
前記帯状布地は、前記帯状布地の肩頂部の反対側を中央に含む全長の四分の一の長さ部分Ｂが、平面展開視において１０度以上８０度以下湾曲している請求項６に記載の衣料。
【請求項８】
前記部分Ａに配置されている第１排気口からの排気方向を表す単位ベクトルａは、前記部分Ｂに配置されている第１排気口からの排気方向を表す単位ベクトルｂよりも、身幅方向の外方に向かう成分が大きい請求項７に記載の衣料。
【請求項９】
表地と、
該表地よりも着用者の肌側に配置されている裏地と、
前記表地の縁部と前記裏地が互いに止着されている第１止着部と、
前記表地に取り付けられており、外部の空気を前記表地と前記裏地の間に取り込む送風機と、
前記裏地に形成されており、前記表地と前記裏地の間の空気を着用者側に排出する複数の第２排気口と、を有している衣料であって、
前記第１止着部から離間している位置において前記表地と前記裏地が互いに止着されている複数の第２止着部が設けられており、
さらに下記（１）〜（３）に規定する条件を満たしていることを特徴とする衣料。
（１）前記送風機は前記表地の少なくとも一部を構成する領域Ｘに取り付けられている。（２）前記領域Ｘは、前記第１止着部または前記第２止着部によって囲まれている領域である。ただし、前記領域Ｘを区画している前記第２止着部同士の間にある隙間、前記領域Ｘを区画している前記第２止着部と前記第１止着部の間にある隙間があることにより前記表地と前記裏地とが互いに止着されていない部分が存在していても、当該隙間の大きさが、当該隙間の部分を前記送風機が通り抜けないものであることを条件として、当該隙間の部分に前記第２止着部が存在しているものとみなして領域Ｘを画定する。
（３）前記裏地は前記領域Ｘに相対向する領域Ｙを有しており、前記領域Ｘおよび前記領域Ｙの少なくとも一方には、開閉可能な開口部が設けられている。
【請求項１０】
前記開口部は前記領域Ｙに設けられている請求項９に記載の衣料。
【請求項１１】
前記送風機の全部又は一部は、前記開口部を経由して外部に取り出し可能である請求項９または１０に記載の衣料。
【請求項１２】
前記開口部にはジップファスナーが備えられている請求項９〜１１のいずれか一項に記載の衣料。
【請求項１３】
身幅方向に対して４５度以上１２０度以下傾斜した方向または身長方向に延在している前記第２止着部（以下、第２−１止着部と称する）は、身幅方向の一方側と他方側のそれぞれに配置されており、前記送風機は、各々の前記第２−１止着部よりも身幅方向の外方にある前記領域Ｘにそれぞれ取り付けられている請求項９〜１２のいずれか一項に記載の衣料。
【請求項１４】
前記送風機は、身幅方向に対して３度以上２０度以下傾斜した方向または身幅方向に延在している前記第２止着部（以下、第２−２止着部と称する）よりも身長方向の上側に取り付けられている請求項９〜１３のいずれか一項に記載の衣料。
【請求項１５】
身長方向において、複数の前記第２−２止着部は、身幅方向に対して４５度以上１２０度以下傾斜した方向または身長方向に延在している複数の前記第２止着部（以下、第２−１止着部と称する）よりも下方に配置されている請求項１４に記載の衣料。
【発明の詳細な説明】
【技術分野】
【０００１】
本発明は、表地と裏地の間に空気を通すことで身体の熱を外に逃がすことができる送風機付きの衣料に関するものである。
【背景技術】
【０００２】
熱中症等の対策として、現場作業時、運動時、スポーツ観戦時等に着用する送風機付きの衣服が開発されている。例えば、特許文献１には表布と裏布との間の通気ダクトに該当する箇所に介在して通気ダクトの通気可能状態を維持するスペーサー手段が設けられている衣服が開示されている。
【先行技術文献】
【特許文献】
【０００３】
【特許文献１】特開２０１５−２１２４４７号公報
【発明の概要】
【発明が解決しようとする課題】
【０００４】
しかし、従来の送風機付きの衣料は、着用者の身体を効率的に冷やす観点からは改善の余地があった（第１の課題）。また、身体を曲げたり捻ったりする等、着用者の動きや姿勢によっては空気の流れが悪化して部分的に冷却できないおそれがあったり、衣料全体が膨らむことで太って見えることがあった。また、送風機付きの衣料は、送風機を容易に取り外すことができないため、洗濯しにくいという問題もあった（第２の課題）。
そこで、本発明の第１の観点は、着用者の身体を効率的に冷やすことができる衣料を提供することを目的とする。また、本発明の第２の観点は、着用者が動いたり姿勢を変えても衣料全体を冷却しつつ、スリムなシルエットも得られる送風機付きの衣料であって、送風機の少なくとも一部を取り外しやすい衣料を提供することを目的とする。
【課題を解決するための手段】
【０００５】
前記第１の課題を解決することができた本発明の第１の観点に係る衣料の一実施態様は、表地と、表地よりも着用者の肌側に配置されている裏地と、表地の縁部と裏地が互いに止着されている第１止着部と、表地に取り付けられており、外部の空気を表地と裏地の間に取り込む送風機と、を有する上衣を備えた衣料であって、上衣には、長手方向と幅方向を有し、長手方向がアームホールの少なくとも一部に沿って配置されている帯状布地であって、幅方向の一方側が表地に接続されており、幅方向の他方側が裏地に接続されている帯状布地が設けられており、帯状布地には、表地と裏地の間の空気を着用者側に排出する複数の第１排気口が設けられていることを特徴とする。本発明によれば、上衣のアームホールに沿って配置されている帯状布地に複数の第１排気口が設けられているため、汗を掻きやすい着用者の脇の下に向かって空気を排出する、または熱が籠もりやすい袖内に空気を流すことができるため、着用者の身体を効率よく冷やすことができる。
【０００６】
帯状布地のうち表地と接続されている部分の長さは、裏地と接続されている部分の長さよりも長いことが好ましい。これにより、身長方向においてアームホールを上側領域と下側領域に二等分割したときに、下側領域の下端部に設けられている帯状布地の幅方向が、着用者の身幅方向に沿って倒れるように配置されやすくなり、着用者の脇の下側に向かって空気が排出されやすくなる。また、上側領域の上端部に設けられている帯状布地の幅方向が、着用者の身長方向に沿って立ち上がるように配置されやすくなり、袖口側に向かって空気が排出されやすくなる。
【０００７】
身長方向においてアームホールを上側領域と下側領域に二等分割したときに、帯状布地は、下側領域にのみ配置されており、下側領域に配置されている第１排気口から着用者の脇の下側に向かって空気が排出されることが好ましい。これにより、汗を掻きやすい着用者の脇の下に重点的に空気を排出することができるため、着用者の身体を効率よく冷やすことができる。
【０００８】
身長方向においてアームホールを上側領域と下側領域に二等分割したときに、帯状布地は、上側領域のみに配置されており、上側領域に配置されている第１排気口から袖口側に向かって空気が排出されることが好ましい。これにより、熱が籠もりやすい袖内に空気を流すことができるため、着用者の身体を効率よく冷やすことができる。
【０００９】
帯状布地は、アームホールの全周にわたって環状に配置されており、身長方向においてアームホールを上側領域と下側領域に二等分割したときに、上側領域に配置されている第１排気口から袖口側に向かって空気が排出され、下側領域に配置されている第１排気口から着用者の脇の下側に向かって空気が排出されることが好ましい。これにより、汗を掻きやすい着用者の脇の下に重点的に空気を排出しつつ、熱が籠もりやすい袖内に空気を流すことができるため、着用者の身体を効率よく冷やすことができる。
【００１０】
帯状布地は、帯状布地の肩頂部を中央に含む全長の四分の一の長さ部分Ａが、平面展開視において８０度以上１４０度以下湾曲していることが好ましい。このように帯状布地を形成することにより、帯状布地のうち部分Ａの幅方向が着用者の身長方向に沿って立ち上がるように配置されやすくなるため、袖口側に向かって空気を排出しやすくなる。
【００１１】
帯状布地は、帯状布地の肩頂部の反対側を中央に含む全長の四分の一の長さ部分Ｂが、平面展開視において１０度以上８０度以下湾曲していることが好ましい。このように帯状布地を形成することにより、帯状布地のうち部分Ｂの幅方向が着用者の身幅方向に沿って倒れるように配置されやすくなるため、着用者の脇の下側に向かって空気が排出されやすくなる。
【００１２】
上記部分Ａに配置されている第１排気口からの排気方向を表す単位ベクトルａは、上記部分Ｂに配置されている第１排気口からの排気方向を表す単位ベクトルｂよりも、身幅方向の外方に向かう成分が大きいことが好ましい。このように第１排気口を配置することにより、汗を掻きやすい着用者の脇の下に重点的に空気を排出しつつ、熱が籠もりやすい袖内に空気を流すことができるため、着用者の身体を効率よく冷やすことができる。
【００１３】
前記第２の課題を解決することができた本発明の第２の観点に係る衣料の一実施態様は、表地と、該表地よりも着用者の肌側に配置されている裏地と、表地の縁部と裏地が互いに止着されている第１止着部と、表地に取り付けられており、外部の空気を表地と裏地の間に取り込む送風機と、裏地に形成されており、表地と裏地の間の空気を着用者側に排出する複数の第２排気口と、を有している衣料であって、第１止着部から離間している位置において表地と裏地が互いに止着されている複数の第２止着部が設けられており、さらに下記（１）〜（３）に規定する条件を満たしていることを特徴とする。
（１）送風機は表地の少なくとも一部を構成する領域Ｘに取り付けられている。
（２）領域Ｘは、第１止着部または第２止着部によって囲まれている領域である。ただし、領域Ｘを区画している第２止着部同士の間にある隙間、領域Ｘを区画している第２止着部と第１止着部の間にある隙間があることにより表地と裏地とが互いに止着されていない部分が存在していても、隙間の大きさが、隙間の部分を送風機が通り抜けないものであることを条件として、隙間の部分に第２止着部が存在しているものとみなして領域Ｘを画定する。
（３）裏地は領域Ｘに相対向する領域Ｙを有しており、領域Ｘおよび領域Ｙの少なくとも一方には、開閉可能な開口部が設けられている。
本発明によれば、第２止着部が設けられていることにより表地と裏地の間の空気の流れを適度に分岐させることができるため、着用者が動いたり姿勢を変えても衣料全体を冷却することができる。また、第２止着部を複数設けていることにより衣料の膨らみを抑制することができるため、スリムなシルエットを得ることもできる。さらに、上記のように送風機と開口部が配置されていることにより、開口部を経由して送風機の少なくとも一部を外部に取り出しやすくなる。これにより、送風機の少なくとも一部が衣料から取り外されるため、衣料を洗濯しやすくなる。
【００１４】
開口部は領域Ｙに設けられていることが好ましい。これにより裏地側の開口部から送風機の少なくとも一部を外部に取り出すことができるとともに、衣料の着用時に開口部を目立ちにくくすることもできる。
【００１５】
送風機の全部又は一部は、開口部を経由して外部に取り出し可能であることが好ましい。これにより、送風機の全部又は一部を衣料から取り外すことができるため、衣料を洗濯しやすくなる。
【００１６】
開口部にはジップファスナーが備えられていることが好ましい。ジップファスナーをスライドさせることにより、開口部の開閉を容易に行うことができる。
【００１７】
身幅方向に対して４５度以上１２０度以下傾斜した方向または身長方向に延在している第２止着部（以下、第２−１止着部と称する）は、身幅方向の一方側と他方側のそれぞれに配置されており、送風機は、各々の第２−１止着部よりも身幅方向の外方にある領域Ｘにそれぞれ取り付けられていることが好ましい。これにより、送風機からの空気をスムーズに第２−１止着部に誘導しながら、身幅方向の内方側の膨らみを抑制することができるため、スリムなシルエットを得ることができる。
【００１８】
送風機は、身幅方向に対して３度以上２０度以下傾斜した方向または身幅方向に延在している第２止着部（以下、第２−２止着部と称する）よりも身長方向の上側に取り付けられていることが好ましい。このように第２−２止着部が配置されていることにより表地と裏地の間の空気の流れをさらに多数に分岐することができる。また、複数の第２−２止着部によって空気の流れがせき止められ、送風機からの空気を、第２−２止着部よりも身長方向ｙの上側に優先的に流すことができるため、裾部が膨らみにくくなり腰回りをすっきりとしたデザインにすることができる。
【００１９】
身長方向において、複数の第２−２止着部は、複数の第２−１止着部よりも下方に配置されていることが好ましい。複数の第２−２止着部によって空気の流れがせき止められ、送風機からの空気を、空気の流れを適度に分岐させることができる第２−１止着部に優先的に流すことができるため、衣料全体の冷却効果を一層高めることができる。
【発明の効果】
【００２０】
本発明の第１の観点に係る衣料は、上衣のアームホールに沿って配置されている帯状布地に複数の第１排気口が設けられているため、汗を掻きやすい着用者の脇の下に向かって空気を排出する、または熱が籠もりやすい袖内に空気を流すことができるため、着用者の身体を効率よく冷やすことができる。また、本発明の第２の観点に係る衣料は、第２止着部が設けられていることにより表地と裏地の間の空気の流れを適度に分岐させることができるため、着用者が動いたり姿勢を変えても衣料全体を冷却することができる。また、第２止着部を複数設けていることにより衣料の膨らみを抑制することができるため、スリムなシルエットを得ることもできる。さらに、上記のように送風機と開口部が配置されていることにより、開口部を経由して送風機の少なくとも一部を外部に取り出しやすくなる。これにより、送風機の少なくとも一部が衣料から取り外されるため、衣料を洗濯しやすくなる。
【図面の簡単な説明】
【００２１】
【図１】本発明の第１の観点および第２の観点に係る衣料の正面図を表す。
【図２】本発明の第１の観点および第２の観点に係る衣料の背面図を表す。
【図３】本発明の第１の観点に係る衣料の一実施形態の拡大斜視図を表す。
【図４】図３に示した帯状布地の平面展開図を表す。
【図５】本発明の第１の観点に係る衣料の他の実施形態の拡大斜視図を表す。
【図６】図５に示した帯状布地の平面展開図を表す。
【図７】本発明の第１の観点に係る衣料のさらに他の実施形態の拡大斜視図を表す。
【図８】図７に示した帯状布地の平面図を表す。
【図９】図７に示した帯状布地の部分Ａの平面展開図を表す。
【図１０】図７に示した帯状布地の部分Ｂの平面展開図を表す。
【図１１】本発明の第２の観点に係る衣料の一実施形態であり、衣料の前身頃を表側から見た平面図を表す。
【図１２】図１１に示した前身頃を裏側から見た平面図を表す。
【図１３】図１１に示した衣料の後身頃を表側から見た平面図を表す。
【図１４】図１１に示した衣料の後身頃を裏側から見た平面図を表す。
【図１５】図１３に示した衣料の後身頃を表側から見た平面図の変形例を表す。
【図１６】図１５に示した衣料の後身頃を裏側から見た平面図を表す。
【図１７】図１３に示した衣料の後身頃を表側から見た平面図の他の変形例を表す。
【図１８】図１７に示した衣料の後身頃を裏側から見た平面図を表す。
【図１９】図１４に示した衣料の後身頃を裏側から見た平面図の他の変形例を表す。
【図２０】図１４に示した衣料の後身頃を裏側から見た平面図のさらに他の変形例を表す。
【図２１】本発明の第２の観点に係る衣料の他の実施形態の斜視図を表す。
【図２２】図２１に示した衣料の背面図を表す。
【図２３】図２１に示した衣料に設けられているフードを表側から見た側面図を表す。
【図２４】図２１に示したフードを裏側から見た側面図を表す。
【発明を実施するための形態】
【００２２】
まず、本発明の第１の観点および第２の観点の双方に共通する衣料の構成例について説明する。以下、本発明に係る衣料に関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００２３】
本発明において衣料とは身に着けるものであり、コート・ジャケット・ジャンパー等の上衣、ズボン・スカート等の下衣、ワンピース・つなぎ等の上衣と下衣が一体化したつなぎ服を含む。また、本発明の上衣の袖は、例えば長袖や七分袖のように肘よりも手首側に袖口があるものであってもよく、例えば半袖や袖がないノースリーブのように肘よりも肩側に袖口があるものであってもよく、五分袖のように肘の位置に袖口があるものでもよい。本発明の衣料は、防暑用、スポーツ用、アウトドア用として好適に用いられる。
【００２４】
本発明において衣料の裏側とは、衣料を着用した際の着用者の肌に向く側を意味し、衣料の表側とは、衣料を着用した際の着用者とは反対側を意味する。また、本発明において身幅方向とは着用者の左右方向を意味し、身長方向とは着用者の身長方向であって上下方向を意味する。
【００２５】
図１〜図２を用いて衣料の構成例について説明する。図１〜図２は、それぞれ本発明の第１の観点および第２の観点に係る衣料１の正面図と背面図を表す。なお、図１〜図２において、身幅方向ｘの一方側ｘ１に配置されているのが右前身頃３Ｒ、他方側ｘ２に配置されているのが左前身頃３Ｌである。図１〜図２では、衣料１が、袖がなく立襟７を有する上衣２（ベスト）である例を用いて説明するが、衣料の態様はこれに限定されるものではなく、袖付きのものであってもよく、また、襟がなくてもよく、さらに別の態様の襟やフードを有していてもよい。袖付きの場合、袖部は裏地がなく、表地一枚で構成されるものであってもよい。衣料１は、表地１１と、裏地と、第１止着部２１と、送風機１５と、複数の排気口と、を有している。
【００２６】
表地１１は、衣料１の表側に配置されている生地であり、裏地は、表地１１よりも着用者の肌側に配置されている生地である。表地１１と裏地は、それぞれ１枚の生地から構成されていてもよく、複数の生地を積層することにより構成されていてもよい。特に第２の観点に係る衣料においては、後述する第２排気口１６Ｂとは別に裏地から着用者側に空気を排出することで冷却効果を一層高めるために、裏地は表地１１よりも高い通気性を有していてもよい。
【００２７】
表地１１や裏地を構成する生地の材料は、衣料に一般に使用されるものであれば特に限定されず、例えば、布地（織布、編布、不織布等）、樹脂が積層されている布地、樹脂フィルム、これらを組み合わせた材料等を用いることができる。布地を構成する繊維としては、例えば、綿・絹等の天然繊維、ポリエステル・ポリエチレン・ナイロン等の合成繊維が挙げられる。生地同士は、縫合、接着剤による接着、熱融着、超音波融着等により接合することができる。
【００２８】
表地は裏地に比べて通気度（フラジール通気度：ＪＩＳ  Ｌ  １０９６）の低い生地で構成されていてもよい。これにより、表地から外部に空気が抜けることに起因する空気の取り込み効率が落ちることがなく、また裏地から全体的に身体に空気を与えることができる。表地の通気度は低いほど好ましく、例えばフラジール通気度をゼロ（測定限界以下）とすることができる。
【００２９】
第１止着部２１では、表地１１の縁部１１ａと裏地が互いに止着されている。このように表地１１の縁部１１ａが裏地に止着されていることにより、表地１１と裏地の間に空気を通す流路のベースとなる部分を形成することができる。このように第１止着部２１を形成することにより、衣料１にポケットが設けられていてもよい。表地１１の縁部１１ａは、表地１１の縁から５ｃｍ以内の範囲であり、好ましくは３ｃｍ以内、さらに好ましくは１ｃｍ以内の範囲である。
【００３０】
第１止着部２１において、表地１１の縁部１１ａと裏地の縁部が互いに止着されていてもよい。図１〜図２に示すように、第１止着部２１において、表地１１の周縁部と裏地の周縁部が互いに止着されていてもよい。第１止着部２１の数は特に限定されず、複数設けられていてもよい。
【００３１】
送風機１５は、表地１１に取り付けられており、外部の空気を表地１１と裏地の間に取り込む。送風機１５は、衣料１を着用したときに邪魔にならない位置に配置されていればよい。例えば衣料１が上衣２の場合、送風機１５は前身頃３と後身頃４の少なくともいずれか一方に形成されていることが好ましく、後身頃４に形成されていることがより好ましい。具体的には、送風機１５は、身長方向ｙにおいて肩甲骨よりも下方に配置されていることが好ましく、着用者の腰に対応する位置に配置されていることがより好ましく、また、袖には形成されていないことが好ましい。
【００３２】
送風機１５の数は特に限定されないが、身体全体を効率よく冷却するために、送風機１５は、身幅方向ｘの一方側ｘ１と他方側ｘ２にそれぞれ取り付けられていることが好ましく、後身頃４の左側と右側にそれぞれ取り付けられていることがより好ましい。送風機１５は、身幅方向ｘに離間して配置されていてもよい。なお、本発明において身幅方向ｘの一方側ｘ１と他方側ｘ２はそれぞれ身幅方向ｘの中央線Ｃの右側と左側を意味する。
【００３３】
本発明の第１の観点に係る衣料には少なくとも第１排気口が後述する帯状布地に設けられ、第２の観点に係る衣料には少なくとも第２排気口が裏地に設けられる。以下では、第１排気口と第２排気口をまとめて排気口と称することがある。排気口は、表地と裏地の間の空気を着用者側に排出する貫通口である。衣料には複数の排気口が設けられる。複数の排気口は、左右対称に配置されていてもよい。排気口の形状は、特に限定されず、例えば、円形状、楕円形状、多角形状、あるいはこれらの組み合わせとすることができる。複数の排気口の形状は同じであってもよく、互いに異なっていてもよい。
【００３４】
排気口の開口面積は特に限定されないが、例えば１０ｍｍ2以上であることが好ましく、２０ｍｍ2以上であることがより好ましく、３０ｍｍ2以上であることがさらに好ましく、また、３００ｍｍ2以下であることが好ましく、２８０ｍｍ2以下であることがより好ましく、２５０ｍｍ2以下であることがさらに好ましい。排気口が円形である場合、排気口１６の直径は、５ｍｍ以上、好ましくは７ｍｍ以上とすることができ、２０ｍｍ以下、好ましくは１５ｍｍの範囲としてもよい。
【００３５】
以下では、本発明の第１の観点に係る衣料の構成例について詳しく説明する。本発明の第１の観点に係る衣料の一実施態様は、表地と、表地よりも着用者の肌側に配置されている裏地と、表地の縁部と裏地が互いに止着されている第１止着部と、表地に取り付けられており、外部の空気を表地と裏地の間に取り込む送風機と、を有する上衣を備えた衣料であって、上衣には、長手方向と幅方向を有し、長手方向がアームホールの少なくとも一部に沿って配置されている帯状布地であって、幅方向の一方側が表地に接続されており、幅方向の他方側が裏地に接続されている帯状布地が設けられており、帯状布地には、表地と裏地の間の空気を着用者側に排出する複数の第１排気口が設けられていることを特徴とする。本発明によれば、上衣のアームホールに沿って配置されている帯状布地に複数の第１排気口が設けられているため、汗を掻きやすい着用者の脇の下に向かって空気を排出する、または熱が籠もりやすい袖内に空気を流すことができるため、着用者の身体を効率よく冷やすことができる。
【００３６】
図３は、本発明の第１の観点に係る衣料１の一実施形態において、左前身頃３Ｌを拡大した斜視図を表し、図４は、図３に示した帯状布地の平面展開図を表す。図３では、衣料１が袖６の無い上衣２（ベスト）である例を示している。帯状布地１３は、長手方向ｐと、長手方向ｐと垂直な幅方向ｑと、を有する布地であり、アームホール２Ａの周りに第１排気口１６Ａを配置するために設けられている。帯状布地１３はその長手方向ｐがアームホール２Ａの少なくとも一部に沿って配置されている。また、帯状布地１３はその幅方向ｑの一方側１３Ｂａが表地に接続されており、幅方向ｑの他方側１３Ｂｂが裏地１２に接続されている。長手方向ｐおよび幅方向ｑの双方と垂直な方向が帯状布地１３の厚さ方向である。なお、図３では、左前身頃３Ｌのアームホール２Ａに帯状布地１３が設けられている状態を示したが、右前身頃のアームホールにも同様に帯状布地が設けられていることが好ましい。
【００３７】
帯状布地１３は、複数の生地が長手方向ｐまたは幅方向ｑに接続されることによって形成されていてもよい。また、帯状布地１３は、１または複数の生地が厚さ方向に積層されることによって形成されていてもよい。
【００３８】
帯状布地１３は、幅方向ｑの長さ（すなわち幅）が長手方向ｐの長さよりも短いものであればよく、その長さは第１排気口１６Ａの形状や開口面積に応じて設定することができる。帯状布地１３の幅は、長手方向ｐにおいて一定であってもよく、長手方向ｐの場所によって異なっていてもよい。帯状布地１３は長手方向ｐの一部が直線状に延在していてもよく、また、長手方向ｐの少なくとも一部が湾曲していてもよく、長手方向ｐの全体が湾曲していてもよい。
【００３９】
帯状布地１３には複数の第１排気口１６Ａが設けられている。複数の第１排気口１６Ａは、帯状布地１３の長手方向ｐに離隔して配置されていることが好ましい。換言すれば、複数の第１排気口１６Ａは、アームホール２Ａの周方向に沿って並んで配置されていることが好ましい。隣り合う第１排気口１６Ａどうしの離隔距離は一定であっても変化していてもよい。例えば、帯状布地１３に少なくとも３つの第１排気口１６Ａが長手方向ｐに離隔して配置されている場合、これらを第１−１排気口、第１−２排気口、第１−３排気口とすると、第１−１排気口と第１−２排気口の離隔距離は、第１−２排気口と第１−３排気口の離隔距離と同じであってもよく、互いに異なっていてもよい。
【００４０】
一つのアームホール２Ａに設けられている複数の第１排気口１６Ａは、帯状布地１３の肩頂部１３Ｃを通りかつ身長方向ｙに平行な直線に対して線対称に配置されていることが好ましい。これにより、着用者の前後方向においてバランスよく身体を冷却することができる。
【００４１】
帯状布地１３は、第１排気口１６Ａが設けられている部分の幅が、第１排気口１６Ａが設けられていない部分の幅よりも広く形成されていることが好ましい。これにより、帯状布地１３に第１排気口１６Ａを形成しやすくなる。
【００４２】
帯状布地１３を構成する生地の材料としては、表地や裏地を構成する生地の材料の説明を参照することができる。第１排気口１６Ａとは別に着用者側に空気を排出することで冷却効果を一層高めるために、帯状布地１３は裏地と同程度の通気性を有していることが好ましく、例えば、表地よりも高い通気性を有する構成とすることができる。
【００４３】
帯状布地１３と表地１１、または帯状布地１３と裏地１２は、縫合、接着剤による接着、熱融着、超音波融着等により接合することができる。
【００４４】
帯状布地１３のうち表地１１と接続されている部分の長さは、裏地１２と接続されている部分の長さよりも長いことが好ましい。これにより、身長方向ｙにおいてアームホール２Ａを上側領域２Ａａと下側領域２Ａｂに二等分割したときに、下側領域２Ａｂの下端部に設けられている帯状布地１３の幅方向ｑが着用者の身幅方向ｘに沿って倒れるように配置されやすくなり、着用者の脇の下側に向かって空気が排出されやすくなる。また、上側領域２Ａａの上端部に設けられている帯状布地１３の幅方向ｑが、着用者の身長方向ｙに沿って立ち上がるように配置されやすくなり、袖口６Ａ側に向かって空気が排出されやすくなる。
【００４５】
帯状布地１３のうち表地１１と接続されている部分の長さは、裏地１２と接続されている部分の長さの１．０１倍以上であることが好ましく、１．０５倍以上であることがより好ましく、１．０７倍以上であることがさらに好ましく、また、２倍以下、１．５倍以下、１．３倍以下、あるいは１．２５倍以下とすることも許容される。
【００４６】
図３に示すように、身長方向ｙにおいてアームホール２Ａを上側領域２Ａａと下側領域２Ａｂに二等分割したときに、帯状布地１３は、下側領域２Ａｂにのみ配置されており、下側領域２Ａｂに配置されている第１排気口１６Ａから着用者の脇の下側に向かって空気が排出されることが好ましい。これにより、汗を掻きやすい着用者の脇の下に重点的に空気を排出することができるため、着用者の身体を効率よく冷やすことができる。
【００４７】
第１排気口１６Ａから着用者の脇の下側に向かって空気を排出しやすくするためには、アームホール２Ａの身長方向ｙの下端部において、帯状布地１３の厚さ方向と身長方向ｙのなす角度が４５度以内の範囲にあることが好ましく、３０度以内の範囲にあることがより好ましく、１０度以内の範囲にあることがさらに好ましく、帯状布地１３の厚さ方向と身長方向ｙが平行であることが特に好ましい。
【００４８】
帯状布地１３がアームホール２Ａの下側領域２Ａｂのみ、または後述するように上側領域２Ａａのみに配置される場合、図４に示すように帯状布地１３の長手方向ｐの少なくとも一方端部がその一方端１３Ａａ側に向かって幅狭に形成されていることが好ましく、帯状布地１３の長手方向ｐの一方端部がその一方端１３Ａａ側に向かって幅狭に形成されており、他方端部がその他方端１３Ａｂ側に向かって幅狭に形成されていることがより好ましい。これによりアームホール２Ａの周方向において、表地１１と裏地１２の間に帯状布地１３が存在している部分から存在していない部分へと切り替わる部分において表地１１と裏地１２をスムーズに接合することが可能となる。
【００４９】
図５は、本発明の第１の観点に係る衣料１の他の実施形態の左前身頃３Ｌおよび袖６の部分を拡大した斜視図を表し、図６は、図５に示した帯状布地１３の平面展開図を表す。図５では、衣料１が、長袖を有する上衣２である例を示している。図５に示すように、身長方向ｙにおいてアームホール２Ａを上側領域２Ａａと下側領域２Ａｂに二等分割したときに、帯状布地１３は、上側領域２Ａａのみに配置されており、上側領域２Ａａに配置されている第１排気口１６Ａから袖口６Ａ側に向かって空気が排出されることが好ましい。これにより、熱が籠もりやすい袖６内に空気を流すことができるため、着用者の身体を効率よく冷やすことができる。
【００５０】
第１排気口１６Ａから着用者の袖口６Ａ側に向かって空気を排出しやすくするために、アームホール２Ａの身長方向ｙの上端部（帯状布地１３の肩頂部１３Ｃ）において、帯状布地１３の厚さ方向と身幅方向ｘのなす角度が４５度以内の範囲にあることが好ましく、３０度以内の範囲にあることがより好ましく、１０度以内の範囲にあることがさらに好ましく、帯状布地１３の厚さ方向と身幅方向ｘが平行であることが特に好ましい。
【００５１】
図７は、本発明の第１の観点に係る衣料１のさらに他の実施形態において、左前身頃３Ｌおよび袖６の部分を拡大した斜視図を表す。図７では、衣料１が長袖を有する上衣２である例を示している。図７に示すように、帯状布地１３は、アームホール２Ａの全周にわたって環状に配置されており、身長方向ｙにおいてアームホール２Ａを上側領域２Ａａと下側領域２Ａｂに二等分割したときに、上側領域２Ａａに配置されている第１排気口１６Ａから袖口６Ａ側に向かって空気が排出され、下側領域２Ａｂに配置されている第１排気口１６Ａから着用者の脇の下側に向かって空気が排出されることが好ましい。これにより、汗を掻きやすい着用者の脇の下に重点的に空気を排出しつつ、熱が籠もりやすい袖６内に空気を流すことができるため、着用者の身体を効率よく冷やすことができる。
【００５２】
帯状布地１３がアームホール２Ａの全周にわたって環状に配置されている場合、上側領域２Ａａに配置されている第１排気口１６Ａの数と、下側領域２Ａｂに配置されている第１排気口１６Ａの数は、同じであってもよく、互いに異なっていてもよい。衣料１内の風量を確保する観点からは、上側領域２Ａａに配置されている第１排気口１６Ａの数を、下側領域２Ａｂに配置されている第１排気口１６Ａの数よりも多くすることが好ましい。また、脇の下側を重点的に冷却する観点からは、下側領域２Ａｂに配置されている第１排気口１６Ａの数を、上側領域２Ａａに配置されている第１排気口１６Ａの数よりも多くすることが好ましい。
【００５３】
上側領域２Ａａに配置されている第１排気口１６Ａと下側領域２Ａｂに配置されている第１排気口１６Ａの開口面積は、同じであってもよく、互いに異なっていてもよい。
【００５４】
図８は、図７に示した帯状布地１３の平面図を表す。図８では、帯状布地１３がアームホール２Ａの全周にわたって環状に配置されているときの状態を示しているため、帯状布地１３のうち、アームホール２Ａの上側領域２Ａａに配置されている部分が紙面垂直方向を向くように、アームホール２Ａの下側領域２Ａｂに配置されている部分が紙面の上方向を向くように立体的に示されている。図８に示すように立体的形状を有する帯状布地１３の全長を、帯状布地１３の幅方向ｑと平行な直線Ｌ１によって４等分割して裁断し、４つのパーツ（部分）に分ける。なお、帯状布地１３を４つのパーツに分割する際には、帯状布地１３の肩頂部１３Ｃに、４つのパーツのうち１つのパーツの長手方向ｐの中央が位置するように４つの直線Ｌ１を配置する。分割して裁断されたパーツのうち、帯状布地１３の肩頂部１３Ｃを中央に含む部分を部分Ａ、肩頂部１３Ｃと反対側１３Ｄを中央に含む部分を部分Ｂと称する。図９、図１０は、それぞれ分割して裁断された部分Ａおよび部分Ｂを上から押さえて偏平状にしたときの平面展開図である。
【００５５】
帯状布地１３の部分Ａの湾曲角度θ１を以下のように設定することが好ましい。図９に示すように、帯状布地１３は、帯状布地１３の肩頂部１３Ｃを中央に含む全長の四分の一の長さ部分Ａが、平面展開視において８０度以上湾曲していることが好ましく、より好ましくは９０度以上、さらに好ましくは１００度以上湾曲しており、また、１４０度以下湾曲していることが好ましく、より好ましくは１３０度以下、さらに好ましくは１２０度以下湾曲している。このように帯状布地１３の湾曲角度θ１を設定することにより、帯状布地１３のうち部分Ａの幅方向ｑが着用者の身長方向ｙに沿って立ち上がるように配置されやすくなるため、袖口６Ａ側に向かって空気を排出しやすくなる。
【００５６】
また、帯状布地１３の部分Ｂの湾曲角度θ２を以下のように設定することが好ましい。図１０に示すように、帯状布地１３は、帯状布地１３の肩頂部１３Ｃの反対側を中央に含む全長の四分の一の長さ部分Ｂが、平面展開視において１０度以上湾曲していることが好ましく、より好ましくは２０度以上、さらに好ましくは３０度以上湾曲しており、また、８０度以下湾曲していることが好ましく、より好ましくは７０度以下、さらに好ましくは６０度以下湾曲している。これにより、帯状布地１３のうち部分Ｂの幅方向ｑが着用者の身幅方向ｘに沿って倒れるように配置されやすくなるため、着用者の脇の下側に向かって空気が排出されやすくなる。
【００５７】
なお、図９〜図１０において、帯状布地１３の湾曲角度θ１、θ２は、直線Ｌ２とＬ３のなす角度によって表すことができる。直線Ｌ２は、帯状布地１３の部分ＡまたはＢの長手方向ｐの一方端の位置における幅方向ｑの中心点１３Ｅと帯状布地１３が最も湾曲している位置における幅方向ｑの中心点１３Ｇとを結んだ直線であり、直線Ｌ３は、帯状布地１３の部分ＡまたはＢの長手方向ｐの他方端の位置における幅方向ｑの中心点１３Ｆと上記点１３Ｇとを結んだ直線である。
【００５８】
図７に示すように、部分Ａに配置されている第１排気口１６Ａからの排気方向を表す単位ベクトルａは、部分Ｂに配置されている第１排気口１６Ａからの排気方向を表す単位ベクトルｂよりも、身幅方向ｘの外方に向かう成分が大きいことが好ましい。このように第１排気口１６Ａを配置することにより、汗を掻きやすい着用者の脇の下に重点的に空気を排出しつつ、熱が籠もりやすい袖６内に空気を流すことができるため、着用者の身体を効率よく冷やすことができる。
【００５９】
図３〜図１０では図示していないが、第１の観点に係る衣料１にも、後述する第２の観点に係る衣料１と同様に複数の第２止着部２２が設けられていることが好ましい。第２止着部の形状や配置については、第２の観点に係る衣料１の説明を参照することができる。
【００６０】
また、図３〜図１０では図示していないが、第１の観点に係る衣料１にも、後述する第２の観点に係る衣料１と同様に、裏地には複数の第２排気口１６Ｂが設けられていることが好ましい。
【００６１】
図１１〜図１４を用いて本発明の第２の観点に係る衣料の構成例について詳説する。図１１〜図１２は、それぞれ本発明の実施の形態に係る衣料１の前身頃３を表側と裏側から見た平面図を表し、図１３〜図１４は、それぞれ図１１に示した衣料１の後身頃４を表側と裏側から見た平面図を表す。なお、図１１および図１２において、身幅方向ｘの一方側ｘ１に配置されているのが右前身頃３Ｒ、他方側ｘ２に配置されているのが左前身頃３Ｌである。図１１〜図１４では、衣料１が、袖の無いベストである例を用いて説明するが、衣料の態様はこれに限定されるものではなく、袖付きのものであってもよい。袖部は、裏地がなく、表地一枚で構成されるものであってもよい。衣料１は、表地１１と、裏地１２と、第１止着部２１と、送風機１５と、複数の排気口１６と、複数の第２止着部２２と、を有している。
【００６２】
本発明の第２の観点に係る衣料には、第１止着部２１から離間している位置において表地１１と裏地１２が互いに止着されている複数の第２止着部２２が設けられている。第２止着部２２が設けられていることにより表地１１と裏地１２の間の空気の流れを適度に分岐させることができるため、送風機１５からの空気は複数のルートを通って排気口１６から排出されることが可能となる。その結果、着用者が身体を曲げたり捻ったりする等、姿勢を変えても空気の流れをせき止めずに維持することができ、衣料１全体を冷却することができる。また、第２止着部２２を複数設けていることにより衣料１の膨らみを抑制することができるため、スリムなシルエットを得ることもできる。
【００６３】
第２止着部２２は、衣料１の身長方向ｙの全体にわたって設けられていてもよく、身長方向ｙの一部に設けられていてもよい。
【００６４】
さらに、本発明の第２の観点に係る衣料１は、下記（１）〜（３）に規定する条件を満たしている。
（１）送風機１５は表地１１の少なくとも一部を構成する領域Ｘに取り付けられている。（２）領域Ｘは、第１止着部２１または第２止着部２２によって囲まれている領域である。ただし、領域Ｘを区画している第２止着部２２同士の間にある隙間３０、領域Ｘを区画している第２止着部２２と第１止着部２１の間にある隙間３０があることにより表地１１と裏地１２とが互いに止着されていない部分が存在していても、隙間３０の大きさが、隙間３０の部分を送風機１５が通り抜けないものであることを条件として、隙間３０の部分に第２止着部２２が存在しているものとみなして領域Ｘを画定する。
（３）裏地１２は領域Ｘに相対向する領域Ｙを有しており、領域Ｘおよび領域Ｙの少なくとも一方には、開閉可能な開口部１７が設けられている。
上記のように送風機１５と開口部１７が配置されていることにより、開口部１７を経由して送風機１５の少なくとも一部を外部に取り出しやすくなる。これにより、送風機１５の少なくとも一部が衣料１から取り外されるため、衣料１を洗濯しやすくなる。図１３では、領域Ｘを左下がりのハッチングで示しており、図１４では領域Ｙを交差するハッチングで示している。
【００６５】
領域Ｘを区画している第２止着部２２同士の間にある隙間３０を第１の隙間３１、領域Ｘを区画している第２止着部２２と第１止着部２１の間にある隙間３０を第２の隙間３２とすると、上記（２）の条件のただし書きは、「領域Ｘを区画している第２止着部２２同士の間にある第１の隙間３１、領域Ｘを区画している第２止着部２２と第１止着部２１の間にある第２の隙間３２があることにより表地１１と裏地１２とが互いに止着されていない部分が存在していても、第１の隙間３１および第２の隙間３２の大きさが、第１の隙間３１および第２の隙間３２の部分を送風機１５が通り抜けないものであることを条件として、第１の隙間３１および第２の隙間３２の部分に第２止着部２２が存在しているものとみなして領域Ｘを画定する」ことを意味している。また、条件（２）ただし書きの「隙間３０の大きさが、隙間３０の部分を送風機１５が通り抜けないものである」とは、第１の隙間３１および第２の隙間３２の大きさが、表地１１または裏地１２の面に対して平行移動させたときにこれら第１の隙間３１および第２の隙間３２の部分を送風機１５が通り抜けないものであることを意味している。
【００６６】
開口部１７は、１つのみ設けられていてもよく、複数設けられていてもよい。中でも、開口部１７と送風機１５の数が同じであることが好ましい。このように送風機１５に対応する開口部１７がそれぞれ設けられていることにより、送風機１５を外部に取り出しやすくなる。
【００６７】
開口部１７は、身長方向ｙに延在していてもよく、身幅方向ｘに延在していてもよい。また、開口部１７は、身長方向ｙに対して３度以上、５度以上、あるいは１０度以上傾斜していてもよく、また、３０度以下、２５度以下、あるいは２０度以下傾斜していてもよい。
【００６８】
開口部１７の延在長さは、送風機１５の外径よりも長いことが好ましい。これにより、開口部１７を経由して送風機１５を外部に取り出しやすくなる。
【００６９】
図１４に示すように、開口部１７は領域Ｙに設けられていることが好ましい。また、開口部１７は領域Ｙに設けられており、領域Ｘには設けられていなくてもよい。これにより裏地１２側の開口部１７から送風機１５の少なくとも一部を外部に取り出すことができるとともに、衣料１の着用時に開口部１７を目立ちにくくすることもできる。
【００７０】
図１５〜図１６を参照しながら、図１１〜図１４とは異なる開口部１７の配置例について説明する。図１５は、図１３に示した衣料１の後身頃４を表側から見た平面図の変形例を表し、図１６は、図１４に示した衣料１の後身頃４を裏側から見た平面図の変形例を表す。図１５に示すように、開口部１７は領域Ｘに設けられていてもよい。これにより、表地１１側の開口部１７を経由して送風機１５の少なくとも一部を外部に取り出すことができる。開口部１７を領域Ｘに設けることにより、開口部１７が表側に面し、目立ちやすくなる。
【００７１】
図示していないが、開口部１７は領域Ｘと領域Ｙにそれぞれ設けられていてもよい。これにより、領域Ｘと領域Ｙに設けられている開口部１７のうち、使用者が取り出しやすい側から送風機１５を外部に取り出すことができるようになる。
【００７２】
図示していないが、衣料１には、開口部１７とは別にポケットを設けることもできる。ポケットを設けることにより、衣料１に小物等を収容することができる。ポケットは表地１１に形成されていてもよく、裏地１２に形成されていてもよい。ポケットの位置は特に限定されない。例えば、開口部１７が裏地１２の領域Ｙに設けられており、ポケットが表地１１の領域Ｘに設けられていてもよい。
【００７３】
送風機１５の全部又は一部は、開口部１７を経由して外部に取り出し可能であることが好ましい。これにより、送風機１５の全部又は一部を衣料１から取り外すことができるため、衣料１を洗濯しやすくなる。
【００７４】
開口部１７には、ジップファスナー、面ファスナー、スナップボタン等の留め具が備えられていることが好ましい。これにより、衣料１の着用時に開口部１７を閉じることができ、衣料１の洗濯時に開口部１７を開けることができる。中でも、開口部１７にはジップファスナーが備えられていることがより好ましい。ジップファスナーをスライドさせることにより、開口部１７の開閉を容易に行うことができる。
【００７５】
複数の第２排気口１６Ｂは、裏地１２に形成されており、表地１１と裏地１２の間の空気を着用者側に排出する。第２排気口１６Ｂは、裏地１２の表面側から裏面側へと貫通するように形成される。表地１１と裏地１２の間に取り込まれた空気が第２排気口１６Ｂから排出されることにより、例えば汗が蒸発するときの気化熱を利用して身体の熱を逃がすことができる。
【００７６】
第２排気口１６Ｂは、汗をかきやすい所に形成されていることが好ましく、例えば、頭部、首、脇の下、胸、左右の肩甲骨の間、膝の裏に対応する位置に形成されていることが好ましい。図１２および図１４では、排気口１６が、前身頃３および後身頃４の脇の下に対応する位置、後身頃４の左右の肩甲骨の間に対応する位置（特に図１４では身幅方向ｘの中央線Ｃに重なる位置）、前身頃３の胸部に対応する位置に設けられている例を示している。
【００７７】
第２排気口１６Ｂの数は特に限定されないが、身体全体を効率よく冷却するために、第２排気口１６Ｂは、身幅方向ｘの一方側ｘ１と他方側ｘ２にそれぞれ形成されていることが好ましく、後身頃４の左側と右側にそれぞれ形成されていることがより好ましい。また、複数の第２排気口１６Ｂは、身幅方向ｘの一方側ｘ１と他方側ｘ２にそれぞれにおいて身長方向ｙに離間して配置されていてもよい。
【００７８】
第２排気口１６Ｂが、身幅方向ｘの一方側ｘ１と他方側ｘ２のそれぞれにおいて少なくとも２つずつ配置されており、身幅方向ｘの一方側ｘ１と他方側ｘ２のそれぞれにおいて、第２排気口１６Ｂの開口面積は、空気の流れ方向の下流側ほど大きいことが好ましい。これにより空気の流れ方向の下流側で空気を積極的に排出しやすくなるため、空気の流速が高められ、衣料１を素早く冷却することができる。
【００７９】
身長方向ｙにおいて衣料１を上側ｙ１と下側ｙ２に二等分割したときに、上側ｙ１に複数の第２排気口１６Ｂが配置されており、下側ｙ２に送風機１５が配置されていることが好ましい。これにより、送風機１５を衣料１を着用したときに邪魔にならない位置に配置しつつ、身長方向ｙの下方から上方に向かって空気を流すことで衣料１全体を効率よく冷却することができる。
【００８０】
図１１〜図１６に示すように、第２止着部２２は、身長方向に延在するように配置されていることが好ましい。これにより、空気を身長方向ｙに沿って流れやすくすることができるため、空気の流速が高められ、衣料１を素早く冷却することができる。
【００８１】
第２止着部２２は、身幅方向ｘに対して傾斜していてもよい。例えば、第２止着部２２は、身幅方向ｘに対して４５度以上傾斜していることが好ましく、６０度以上傾斜していることがより好ましく、７０度以上傾斜していることがさらに好ましく、また１３５度以下傾斜していることが好ましく、１２０度以下傾斜していることがより好ましく、１１０度以下傾斜していることがさらに好ましい。これにより、衣料１全体としては空気がおおよそ身長方向ｙに流れるようになる。
【００８２】
以下では、身幅方向ｘに対して４５度以上１２０度以下傾斜した方向または身長方向に延在している第２止着部２２を第２−１止着部２２Ａと称する。図１１〜図１６に示すように、第２−１止着部２２Ａは、身幅方向ｘの一方側ｘ１と他方側ｘ２のそれぞれに配置されており、送風機１５は、各々の第２−１止着部２２Ａよりも身幅方向ｘの外方にある領域Ｘにそれぞれ取り付けられていることが好ましい。これにより、送風機１５からの空気をスムーズに第２−１止着部２２Ａに誘導しながら、身幅方向ｘの内方側の膨らみを抑制することができるため、スリムなシルエットを得ることができる。
【００８３】
複数の第２−１止着部２２Ａは、身幅方向ｘの一方側ｘ１と他方側ｘ２のそれぞれにおいて身長方向ｙに離間して配置されていることが好ましい。このように第２−１止着部２２Ａが設けられていることにより表地１１と裏地１２の間の空気の流れをより多数に分岐させることができる。
【００８４】
送風機１５が、身幅方向ｘの一方側ｘ１と他方側ｘ２にそれぞれ取り付けられており、開口部１７が、身幅方向ｘの一方側ｘ１と他方側ｘ２にそれぞれ設けられていることが好ましい。このように送風機１５に対応する開口部１７がそれぞれ設けられていることにより、送風機１５を外部に取り出しやすくなる。
【００８５】
第２−１止着部２２Ａは、身幅方向ｘの一方側ｘ１と他方側ｘ２のそれぞれに配置されており、送風機１５は、各々の第２−１止着部２２Ａよりも身幅方向ｘの外方にある領域Ｘにそれぞれ取り付けられており、開口部１７は、各々の送風機１５よりも身幅方向ｘの外方にある領域Ｙにそれぞれ設けられていることが好ましい。このように送風機１５に対応する開口部１７がそれぞれ設けられていることにより、送風機１５を外部に取り出しやすくなる。
【００８６】
空気流通性の向上の観点から、第１止着部２１と第２−１止着部２２Ａの離間距離は、１ｃｍ以上であることが好ましく、３ｃｍ以上であることがより好ましく、５ｃｍ以上であることがさらに好ましい。また、衣料１の膨らみ抑制の観点から、第１止着部２１と第２−１止着部２２Ａの離間距離は、３０ｃｍ以下であることが好ましく、２５ｃｍ以下であることがより好ましく、２０ｃｍ以下であることがさらに好ましい。
【００８７】
第２−１止着部２２Ａは、第１止着部２１よりも身幅方向ｘの内方に配置されていることが好ましい。これにより、特に膨らみやすい位置での膨張抑制効果を高めることができる。
【００８８】
第２−１止着部２２Ａの数は特に限定されないが、第２−１止着部２２Ａは、身幅方向ｘの一方側ｘ１と他方側ｘ２のそれぞれにおいて、少なくとも３つずつ配置されていることが好ましく、少なくとも４つずつ配置されていることがより好ましい。また、第２−１止着部２２Ａの身幅方向ｘの一方側ｘ１と他方側ｘ２のそれぞれにおいて、１５以下配置されていることが好ましく、１２以下配置されていることがより好ましい。これにより、表地１１と裏地１２の間の空気の流れをより多数に分岐させることができるようになる。
【００８９】
衣料１は、前身頃３と後身頃４を有する上衣２であり、送風機１５は、後身頃４に取り付けられており、複数の第２−１止着部２２Ａは、前身頃３の身幅方向ｘの一方側ｘ１と他方側ｘ２と、後身頃４の身幅方向ｘの一方側ｘ１と他方側ｘ２にそれぞれ配置されていることが好ましい。これにより送風機１５を衣料１を着用したときに邪魔にならない位置に配置しつつ、第２−１止着部２２Ａによって前身頃３と後身頃４の両方で空気の流れ方向が制御されるため、衣料１全体を効率よく冷却することができる。
【００９０】
複数の第２−１止着部２２Ａは、身幅方向ｘの一方側ｘ１と他方側ｘ２のそれぞれにおいて、身幅方向ｘにも離間して配置されていることが好ましい。これにより、空気の流れをより多数に分岐させることができる。
【００９１】
第２−１止着部２２Ａが、身幅方向ｘの一方側ｘ１と他方側ｘ２のそれぞれにおいて少なくとも３つずつ配置されており、身幅方向ｘの一方側ｘ１と他方側ｘ２のそれぞれにおいて、隣り合う第２−１止着部２２Ａ間の身長方向ｙの距離は、空気の流れ方向の下流側ほど小さいことが好ましい。これにより下流側での空気の流れ方向を制御しやすくなり、衣料１全体を好適に冷却することができる。ここで、隣り合う第２−１止着部２２Ａ間の身長方向ｙの距離は、身長方向ｙにおいて、上側に位置する第２−１止着部２２Ａの下方端と、下側に位置する第２−１止着部２２Ａの上方端との最短距離を意味する。
【００９２】
一の第２−１止着部２２Ａが身幅方向ｘに隣り合う他の第２−１止着部２２Ａとの距離は、一の第２−１止着部２２Ａが身長方向ｙに隣り合うさらに他の第２−１止着部２２Ａとの距離よりも大きいことが好ましい。これにより、空気を身幅方向ｘよりも身長方向ｙに優先的に流れやすくすることができる。ここで、一の第２−１止着部２２Ａが身幅方向ｘに隣り合う他の第２−１止着部２２Ａとの距離（すなわち、身幅方向ｘにおいて隣り合う第２−１止着部２２Ａ間の距離）は、身幅方向ｘにおいて、左側に位置する第２−１止着部２２Ａの右方端と、右側に位置する第２−１止着部２２Ａの左方端との最短距離を意味する。
【００９３】
隣り合う第２−１止着部２２Ａ間の身幅方向ｘの距離は、身長方向ｙにおいて一定であってもよい。これにより空気の流れ方向を制御しやすくなり、衣料１の大量生産にも適している。
【００９４】
隣り合う第２−１止着部２２Ａ間の身幅方向ｘの距離は、空気の流れ方向の下流側ほど小さくなっていてもよい。これにより下流側での空気の流れ方向を制御しやすくなり、衣料１全体を好適に冷却することができる。
【００９５】
図１７〜図１８を参照しながら、図１１〜図１６とは異なる開口部の配置例について説明する。図１７は、図１３に示した衣料の平面図の他の変形例を表し、図１８は図１７に示した衣料の後身頃を裏側から見た平面図を表す。図１３〜図１６では、開口部１７が身長方向ｙに延在するように形成されていたが、図１７〜図１８に示すように、開口部１７は、身幅方向ｘに延在するように形成されていてもよい。送風機１５が、身幅方向ｘの一方側ｘ１と他方側ｘ２にそれぞれ取り付けられている場合、開口部１７は、身幅方向ｘの中心線Ｃと交差し、かつ身幅方向ｘにおいて２つの送風機１５の内方端より外方に延在していることが好ましく、身幅方向ｘの中心線Ｃと交差し、かつ身幅方向ｘにおいて２つの送風機１５の外方端より外方に延在していることがより好ましい。このように開口部１７を配置することにより、開口部１７の数が送風機１５の数より少なくても開口部１７を経由して外部に送風機１５を取り出しやすくなる。
【００９６】
図１７〜図１８に示すように、身長方向ｙにおいて、開口部１７は第２止着部２２の下方端より下方に配置されていてもよい。これにより、衣料１の着用時に開口部１７を目立ちにくくすることができる。なお、開口部１７が身幅方向ｘに延在している場合、開口部１７は、衣料１の身長方向ｙの下方端から２０ｃｍ以内の範囲に配置されていることが好ましく、より好ましくは１５ｃｍ以内の範囲、さらに好ましくは１０ｃｍ以内の範囲に配置される。
【００９７】
図１９〜図２０を参照しながら、図１１〜図１６とは異なる第２−１止着部２２Ａの配置例について説明する。図１９〜図２０は、図１４に示した衣料１の後身頃４を裏側から見た平面図の他の変形例を表す。図１９に示すように、第２−１止着部２２Ａは、身長方向ｙの上方から下方に向かって身幅方向ｘの内方から外方に延在するように配置されていることが好ましい。このように第２−１止着部２２Ａを延在させることによって空気の流れ方向を制御することができるとともに、衣料１のシルエットの微調整が可能になる。また、送風機１５よりも身長方向ｙの上方に配置されている第２−１止着部２２Ａが、身長方向ｙの上方から下方に向かって身幅方向ｘの内方から外方に延在するように配置されていることが好ましい。これにより、空気の流れ方向の下流側では身幅方向ｘの内方に向かって空気が流れやすくなる。身体の身幅方向ｘの内方を集中的に冷やすことで、着用者の体温を効率的に下げることができる。
【００９８】
図２０に示すように、第２−１止着部２２Ａは、身長方向ｙの上方から下方に向かって身幅方向ｘの外方から内方に延在するように配置されていることが好ましい。このように第２−１止着部２２Ａを延在させることによっても空気の流れ方向を制御することができるとともに、衣料１のシルエットの微調整が可能になる。また、送風機１５よりも身長方向ｙの上方に配置されている第２−１止着部２２Ａが、身長方向ｙの上方から下方に向かって身幅方向ｘの外方から内方に延在するように配置されていてもよい。これにより、空気の流れ方向の下流側では身幅方向ｘの外方に向かって空気が流れやすくなり、衣料１全体に空気が行き渡りやすくなるため、衣料１全体を冷却する効果が高められる。
【００９９】
図１１〜図１９に示すように、身幅方向ｘの一方側ｘ１または他方側ｘ２において、複数の第２−１止着部２２Ａの延在方向は同じであることが好ましい。これにより空気の流れ方向を制御しやすくなり、衣料１の大量生産にも適している。
【０１００】
図２０に示すように、複数の第２−１止着部２２Ａの延在方向が異なっていてもよい。様々な向きに第２−１止着部２２Ａを配置することによって、衣料１全体に空気が行き渡りやすくなり、衣料１全体を冷却する効果が高められる。例えば、身幅方向ｘの一方側ｘ１において身長方向ｙに離間している一の第２−１止着部２２Ａと他の第２−１止着部２２Ａが設けられている場合、一の第２−１止着部２２Ａが身長方向ｙの上方から下方に向かって身幅方向ｘの外方から内方に延在するように配置されており、他の第２−１止着部２２Ａが身長方向ｙの上方から下方に向かって身幅方向ｘの内方から外方に延在するように配置されていてもよい。
【０１０１】
身幅方向ｘの一方側ｘ１と他方側ｘ２の少なくともいずれか一方において、身幅方向ｘに隣り合う第２−１止着部２２Ａの延在方向は、同じであることが好ましい。このように第２−１止着部２２Ａの延在方向を設定することにより、身長方向ｙにおける空気の流れを身幅方向ｘ全体で均一にしやすくなる。
【０１０２】
身幅方向ｘの一方側ｘ１と他方側ｘ２の少なくともいずれか一方において、身長方向ｙに隣り合う第２−１止着部２２Ａの延在方向が異なっていることが好ましい。このように第２−１止着部２２Ａの延在方向を設定することにより、空気の流れ方向を複雑にすることができるため、衣料１全体に空気が行き渡りやすくなり、衣料１全体を冷却する効果が高められる。
【０１０３】
第２−１止着部２２Ａの延在方向は、左右対称であることが好ましい。これにより、左右均等に冷却効果が得られるとともに、衣料１のいびつな膨張を抑制することができる。
【０１０４】
第２−１止着部２２Ａの形状は特に限定されないが、第２−１止着部２２Ａは、帯状または線状に形成されていることが好ましい。第２−１止着部２２Ａをこのような形状とすることにより、空気の流れ方向の制御や衣料１のシルエットの調整が行いやすくなる。なお、第２−１止着部２２Ａは、連続的または断続的な帯状または線状に形成されていてもよい。
【０１０５】
複数の第２−１止着部２２Ａの長さは、同じでもよく、異なっていてもよい。第２−１止着部２２Ａの長さは特に限定されないが、例えば、１ｃｍ以上であることが好ましく、３ｃｍ以上であることがより好ましく、５ｃｍ以上であることがさらに好ましく、また、１５ｃｍ以下であることが好ましく、１２ｃｍ以下であることがより好ましく、１０ｃｍ以下であることがさらに好ましい。第２−１止着部２２Ａの長さをこのような範囲に設定することによって、適度に空気の流れを確保しながら、衣料１の膨らみを抑制することができる。
【０１０６】
下流側での空気の流れ方向を制御しやすくするためには、第２−１止着部２２Ａの長さは、空気の流れ方向の下流側ほど長いことが好ましい。
【０１０７】
身幅方向ｘの一方側ｘ１と他方側ｘ２の少なくともいずれか一方において、身幅方向ｘに隣り合う第２−１止着部２２Ａの長さは、同じであることが好ましい。このように第２−１止着部２２Ａの長さを設定することにより、身長方向ｙにおける空気の流れを身幅方向ｘ全体で均一にしやすくなる。
【０１０８】
第２−１止着部２２Ａが、身幅方向ｘの一方側ｘ１と他方側ｘ２のそれぞれにおいて少なくとも２つずつ配置されており、身幅方向ｘの一方側ｘ１と他方側ｘ２のそれぞれにおいて、第２−１止着部２２Ａの長さは、空気の流れ方向の下流側ほど長いことが好ましい。これにより下流側での空気の流れ方向を制御しやすくなり、衣料１全体を好適に冷却することができる。
【０１０９】
第１止着部２１と第２−１止着部２２Ａがそれぞれ帯状または線状に形成されている場合、すべての第２−１止着部２２Ａの合計長さが、すべての第１止着部２１の合計長さよりも短いことが好ましい。これにより、空気の流れを低下させない程度に適度に分岐させることができるため、空気が衣料１全体に行き渡りやすくなり、衣料１全体を冷却することができる。
【０１１０】
複数の第２−１止着部２２Ａの幅は、同じでもよく、異なっていてもよい。第２−１止着部２２Ａの幅は、例えば０．５ｍｍ以上、１ｍｍ以上、３ｍｍ以上、または２０ｍｍ以下、１５ｍｍ以下、１０ｍｍ以下とすることができる。第２−１止着部２２Ａの幅をこのような範囲に設定することによって、適度に空気の流れを確保しながら、衣料１の膨らみを抑制することができる。
【０１１１】
第２−１止着部２２Ａは、左右対称な形状に形成されていることが好ましい。これにより、衣料１の左右均等に冷却効果が得られるとともに、衣料１のいびつな膨張を抑制することができる。
【０１１２】
送風機１５は、身幅方向ｘの一方側ｘ１と他方側ｘ２にそれぞれ取り付けられており、身幅方向ｘにおいて、第２−１止着部２２Ａは、２つの送風機１５の内方端よりも内方に配置されていることが好ましい。これにより、送風機１５からの空気をスムーズに第２−１止着部２２Ａに誘導しながら、身幅方向ｘの内方側の膨らみを抑制することができるため、スリムなシルエットを得ることができる。同様の理由から、身幅方向ｘの一方側ｘ１と他方側ｘ２のそれぞれにおいて、さらに身幅方向ｘを内方側と外方側に二等分割したときの内方側に第２−１止着部２２Ａが配置されており、外方側に送風機１５が配置されていてもよい。
【０１１３】
身長方向ｙにおいて、送風機１５は、最も下方側に配置されている第２−１止着部２２Ａの下方端よりも上方に配置されていることが好ましい。これにより、送風機１５からの空気は、最も下方側に並んで配置されている２つの第２−１止着部２２Ａ間を通りやすくなるため、空気が様々な方向に流れやすくなって衣料１全体に行き渡りやすくなる。
【０１１４】
図示していないが、身長方向ｙにおいて、送風機１５は、最も下方側に配置されている第２−１止着部２２Ａの下方端よりも下方に配置されていてもよい。これにより、送風機１５からの空気は身幅方向ｘに並んで配置されている２つの第２−１止着部２２Ａ間を通り、身長方向ｙに沿って流れやすくなる。
【０１１５】
身幅方向ｘの一方側ｘ１と他方側ｘ２のそれぞれにおいて、身幅方向ｘに並んでいる一の第２−１止着部２２Ａと他の第２−１止着部２２Ａの間に複数の第２排気口１６Ｂが配置されていることが好ましい。これにより身幅方向ｘに並んでいる第２−１止着部２２Ａ間に誘導された空気を効率よく第２排気口１６Ｂから排出することができるため、衣料１の冷却効果を高めることができる。なお、図１９〜図２０に示されている第２排気口１６Ｂの位置は勿論のことながら特に制限されるものではなく、図１４に示されているように背中部あるいは脇部にあってもよい。
【０１１６】
身長方向ｙにおいて、最も上方に配置されている第２排気口１６Ｂの上方端は、最も上方に配置されている第２−１止着部２２Ａの上方端よりも下方に配置されていることが好ましい。また、身長方向ｙにおいて、最も下方に配置されている第２排気口１６Ｂの下方端は、最も下方に配置されている第２−１止着部２２Ａの下方端よりも上方に配置されていることが好ましい。これにより第２−１止着部２２Ａで空気の流れ方向を制御しながら、空気を効率よく第２排気口１６Ｂから排出することができる。
【０１１７】
図１１〜図２０に示すように、第２止着部２２は、身幅方向ｘに延在するように配置されていてもよい。これにより、身長方向ｙにおける空気の流れがせき止められるため、空気が流れる方向を制御することができる。
【０１１８】
身長方向ｙにおける空気の流れをせき止めるために設けられる第２止着部２２は、身幅方向ｘに対して３度以上、５度以上、あるいは１０度以上傾斜していてもよく、また、３０度以下、２５度以下、あるいは２０度以下傾斜していてもよい。
【０１１９】
以下では、身幅方向ｘに対して３度以上２０度以下傾斜した方向または身幅方向ｘに延在している第２止着部２２を第２−２止着部２２Ｂと称する。空気をせき止める効果を高めるため、第２−２止着部２２Ｂは、複数設けられていることが好ましい。なお、第２−２止着部２２Ｂの延在方向は、第２−１止着部２２Ａの延在方向と異なっていることが好ましい。
【０１２０】
送風機１５は、第２−２止着部２２Ｂよりも身長方向ｙの上側に取り付けられていることが好ましい。このように第２−２止着部２２Ｂが配置されていることにより表地１１と裏地１２の間の空気の流れをさらに多数に分岐することができる。また、複数の第２−２止着部２２Ｂによって空気の流れがせき止められ、送風機１５からの空気を、第２−２止着部２２Ｂよりも身長方向ｙの上側に優先的に流すことができるため、裾部が膨らみにくくなり腰回りをすっきりとしたデザインにすることができる。
【０１２１】
複数の第２−２止着部２２Ｂは、身幅方向ｘの一方側ｘ１と他方側ｘ２のそれぞれにおいて、身幅方向ｘに離間して配置されていることが好ましい。このように第２−２止着部２２Ｂが配置されていることにより表地１１と裏地１２の間の空気の流れをさらに多数に分岐することができる。
【０１２２】
身長方向ｙにおいて、複数の第２−２止着部２２Ｂは、複数の第２−１止着部２２Ａよりも下方に配置されていることが好ましい。複数の第２−２止着部２２Ｂによって空気の流れがせき止められ、送風機１５からの空気を、空気の流れを適度に分岐させることができる第２−１止着部２２Ａに優先的に流すことができるため、衣料１全体の冷却効果を一層高めることができる。同様の理由から、身長方向ｙにおいて、第２−２止着部２２Ｂは、送風機１５よりも下方に配置されていることが好ましい。
【０１２３】
第２−２止着部２２Ｂは、身幅方向ｘの中心線Ｃと交差するように配置されていてもよい。これにより、表地１１と裏地１２の間の空気の流れをより多数に分岐させることができるようになる。
【０１２４】
第２−２止着部２２Ｂの形状は特に限定されないが、第２−１止着部２２Ａと同様に帯状または線状に形成することができる。複数の第２−２止着部２２Ｂの長さや幅は、同じでもよく、異なっていてもよい。第２−２止着部２２Ｂの長さや幅は、第２−１止着部２２Ａと同様に設定することができる。
【０１２５】
第２−２止着部２２Ｂの数は特に限定されないが、第２−２止着部２２Ｂは、４つ以上配置されていることが好ましく、５つ以上配置されていることがより好ましく、また、８つ以下配置されていることが好ましく、７つ以下配置されていることがより好ましい。また、第２−２止着部２２Ｂは、身幅方向ｘの一方側ｘ１と他方側ｘ２のそれぞれにおいて、２つ以上配置されていればよく、４つ以下配置されていてもよい。
【０１２６】
身幅方向ｘにおいて、隣り合う第２−２止着部２２Ｂ間の距離は、一定であることが好ましい。これにより空気の流れ方向を制御しやすくなり、衣料１の大量生産にも適している。ここで、隣り合う第２−２止着部２２Ｂ間の距離は、身幅方向ｘにおいて左側に位置する第２−２止着部２２Ｂの右方端と、右側に位置する第２−２止着部２２Ｂの左方端との最短距離を意味する。
【０１２７】
身幅方向ｘにおいて、隣り合う第２−２止着部２２Ｂ間の距離は、第２−２止着部２２Ｂの長さよりも短いことが好ましい。これにより、複数の第２−２止着部２２Ｂによって空気の流れがせき止められやすくなるため、送風機１５からの空気を第２−１止着部２２Ａに優先的に流すことができる。同様の理由から、身幅方向ｘにおいて、隣り合う第２−２止着部２２Ｂ間の最大距離は、身長方向ｙにおいて隣り合う第２−１止着部２２Ａ間の最小距離よりも小さいことが好ましい。
【０１２８】
衣料１には、さらに、第２−２止着部２２Ｂよりも身幅方向ｘの外方であって第２−１止着部２２Ａよりも身長方向ｙの下方に表地１１と裏地１２が互いに止着されている第２止着部２２（以下、第２−３止着部２２Ｃと称する）が設けられており、第２−３止着部２２Ｃの外方端が、第１止着部２１と接していることが好ましい。このように第２−３止着部２２Ｃが設けられていることにより表地１１と裏地１２の間の空気の流れをせき止めることができる。
【０１２９】
第２−３止着部２２Ｃは、身幅方向ｘに延在していることが好ましい。また、第２−３止着部２２Ｃは、身幅方向ｘの一方側ｘ１と他方側ｘ２にそれぞれ設けられていることが好ましい。第２−３止着部２２Ｃの延在方向は、第２−２止着部２２Ｂの延在方向と同様にすることができる。また、第２−３止着部２２Ｃの形状は、第２−１止着部２２Ａと同様に帯状または線状に形成することができる。複数の第２−３止着部２２Ｃの長さや幅は、同じでもよく、異なっていてもよい。第２−３止着部２２Ｃの長さや幅は、第２−１止着部２２Ａと同様に設定することができる。
【０１３０】
次に、図１１〜図２０に示した衣料とは異なる態様の衣料について図２１〜図２４を参照しながら説明する。なお、図２１〜図２４の説明において、上記の説明と重複する部分は説明を省略する。図２１は、本発明の第２の観点に係る衣料の他の実施形態の斜視図を表し、図２２は、図２１に示した衣料の背面図を表している。図２３および図２４は、それぞれ図２１に示したフードを表側または裏側から見た側面図を表している。衣料１は、表地１１と表地１１よりも着用者の肌側に配置されている裏地１２とを有し着用者の頭部および首を覆うフード５が取り付けられている上衣であり、第２−１止着部２２Ａは、フード５の身幅方向ｘの一方側ｘ１と他方側ｘ２にそれぞれ配置されており、フード５の裏地１２に第２排気口１６Ｂが配置されていることが好ましい。表地１１は裏地１２に比べて通気度（フラジール通気度：ＪＩＳ  Ｌ  １０９６）の低い生地で構成されていてもよい。これにより、表地１１から外部に空気が抜けることに起因する空気の取り込み効率が落ちることがなく、また裏地１２から全体的に頭部に空気を与えることができる。
【０１３１】
フード５の左頭側部と右頭側部の裏地１２にそれぞれ複数の第２排気口１６Ｂが配置されていることが好ましい。これにより、着用者の顔周りや頭部にさらに風を送ることができるため、身体全体を効率よく冷却することができる。
【０１３２】
本発明において、フード５の頭側部は、着用者の頭部の側部を覆う部分であり、例えば、頬、耳、側頭骨、蝶形骨、側頭筋を覆う。着用者の左側の頭側部を覆う部分が左頭側部、右側の頭側部を覆う部分が右頭側部である。図２３〜図２４では、左頭側部から見たフード５の側面図を示している。
【０１３３】
図２２に示すように、フード５の後頭部にも第２排気口１６Ｂ（より好ましくは複数の第２排気口１６Ｂ）が配置されていることが好ましい。これにより、着用者の首部にも風を送ることができる。なお、フード５の後頭部は頭部の後側や首の後側を覆う部分であり、例えば、後頭骨、頭頂骨の後側半分、後頭筋、僧帽筋の首部分を覆う。
【０１３４】
なお、本発明には、第１の観点に係る実施形態と、第２の観点に係る実施形態を適宜組み合わせた形態も含まれる。
【符号の説明】
【０１３５】
１：衣料
２：上衣
２Ａ：アームホール
２Ａａ：アームホールの上側領域
２Ａｂ：アームホールの下側領域
３：前身頃
３Ｌ：左前身頃
３Ｒ：右前身頃
４：後身頃
５：フード
６：袖
６Ａ：袖口
７：立襟
１１：表地
１２：裏地
１３：帯状布地
１３Ａａ：帯状布地の長手方向の一方端
１３Ａｂ：帯状布地の長手方向の他方端
１３Ｂａ：帯状布地の幅方向の一方側
１３Ｂｂ：帯状布地の幅方向の他方側
１３Ｃ：帯状布地の肩頂部
１３Ｄ：帯状布地の肩頂部の反対側
１３Ｅ：帯状布地の長手方向の一方端の位置における幅方向の中心点
１３Ｆ：帯状布地の長手方向の他方端の位置における幅方向の中心点
１３Ｇ：帯状布地の最も湾曲している位置における幅方向の中心点
１５：送風機
１６：排気口
１６Ａ：第１排気口
１６Ｂ：第２排気口
１７：開口部
２１：第１止着部
２２：第２止着部
２２Ａ：第２−１止着部
２２Ｂ：第２−２止着部
２２Ｃ：第２−３止着部
３０：隙間
３１：第１の隙間
３２：第２の隙間
Ａ：帯状布地の肩頂部を中央に含む全長の四分の一の長さ部分
Ｂ：帯状布地の肩頂部の反対側を中央に含む全長の四分の一の長さ部分
ａ：部分Ａに配置されている排気口からの排気方向を表す単位ベクトル
ｂ：部分Ｂに配置されている排気口からの排気方向を表す単位ベクトル
Ｌ１：帯状布地の全長を４等分割する直線
Ｌ２：帯状布地の長手方向の一方端の位置における幅方向の中心点と最も湾曲している位置における幅方向の中心点を結んだ直線
Ｌ３：帯状布地の長手方向の他方端の位置における幅方向の中心点と最も湾曲している位置における幅方向の中心点を結んだ直線
ｐ：帯状布地の長手方向
ｑ：帯状布地の幅方向
Ｘ、Ｙ：領域
ｘ：身幅方向
ｘ１：身幅方向の一方側
ｘ２：身幅方向の他方側
ｙ：身長方向
ｙ１：身長方向の上側
ｙ２：身長方向の下側
【図１】
2020125574.tif 000003
【図２】
2020125574.tif 000004
【図３】
2020125574.tif 000005
【図４】
2020125574.tif 000006
【図５】
2020125574.tif 000007
【図６】
2020125574.tif 000008
【図７】
2020125574.tif 000009
【図８】
2020125574.tif 000010
【図９】
2020125574.tif 000011
【図１０】
2020125574.tif 000012
【図１１】
2020125574.tif 000013
【図１２】
2020125574.tif 000014
【図１３】
2020125574.tif 000015
【図１４】
2020125574.tif 000016
【図１５】
2020125574.tif 000017
【図１６】
2020125574.tif 000018
【図１７】
2020125574.tif 000019
【図１８】
2020125574.tif 000020
【図１９】
2020125574.tif 000021
【図２０】
2020125574.tif 000022
【図２１】
2020125574.tif 000023
【図２２】
2020125574.tif 000024
【図２３】
2020125574.tif 000025
【図２４】
2020125574.tif 000026